(57)【要約】【課題】  印刷装置において、ユーザが意図した観察環境に合わせたカラーマッチングを可能とする。【解決手段】  データ送付元が出力物を観察したい環境の環境光情報をデータと共に送付し、このデータ受信側はデータと共に受信した環境光情報を出力環境光情報として印刷する。【選択図】  図１
2010050553.tif 000002
【特許請求の範囲】
【請求項１】
出力デバイスによる出力パッチの測色値から生成されたデバイス情報と、
出力物を観察する環境の光の情報である環境光情報とを２つのデバイスで用意し組み合わせて２つのデバイス間のカラーマッチングを行う測色値ベースカラーマッチング手段を有し、
データを作成したデバイスのデータ生成デバイス情報及びデータ生成環境光情報と、
出力物を観察する出力物観察環境光情報とをデータに付加し送信する手段と、
該情報付きデータを受信した場合は、受信側出力デバイスの環境光情報設定値と前記受信データに付加された前記出力物観察環境光情報とを置き換える手段によって調整された、前記受信側出力デバイスの出力デバイス情報と、前記送信側デバイス情報と、前記送信側環境光情報と、前記出力物観察環境光情報とを前記測色値ベースカラーマッチング手段を用いてデータをカラーマッチングして出力することを特徴とする印刷装置。
【請求項２】
前記環境光情報は測光センサーによる測光値であることを特徴とする請求項１に記載の印刷装置。
【請求項３】
前記環境光情報は照明情報であり、照明情報と測光値とを関連付けした照明光情報と関連付けする照明光測光変換手段とを有し、照明情報を受信した時は前記照明光測光変換手段を用いて照明情報から測光値に置き換えてカラーマッチングを行うことを特徴とする請求項１に記載の印刷装置。
【請求項４】
前記出力物観察環境光情報は複数指定可能であることを特徴とする請求項１に記載の印刷装置。
【請求項５】
前記複数指定された各出力物観察環境光情報に対し印刷部数が指定可能であることを特徴とする請求項４に記載の印刷装置。
【請求項６】
前記複数指定された各出力物観察環境光情報に対しキーワードを指定し、データの指定箇所に前記キーワードを挿入可能な前記請求項４〜請求項５のいずれかに記載の印刷装置。
【発明の詳細な説明】
【技術分野】
【０００１】
本発明は、印刷物の観察環境に応じた色味での印刷を、観察環境外の場所で実行する印刷装置に関するものである。
【背景技術】
【０００２】
ＰＯＤ市場においては、入稿データの入稿主との綿密な打ち合わせにおいて決められた色味か、或いは、太陽光等の一般的な環境光に合わせた色味で印刷を行っている。しかし、前者においては複数の観察環境条件を確認するのは非常に手間がかかる作業であり、また、後者においては観察する場所によっては入稿主が狙っていた色味に仕上がらないといった問題が発生していた。例えば商品カタログにおいては、店舗で閲覧する場合は店舗で使用のライトに影響を受けて実際の品物とは異なる色に見える場合がある。このような光の影響を抑えるために各店舗のライトに合わせたカラーマッチングを行い印刷したいが、店舗が大量にある場合カタログ作成者では到底対応しきれない。一方で、店舗においてその店舗にあった環境光の調整を行いカタログ印刷を行うという方法も考えられるが、その場合はカタログ印刷に見合うだけの高スペックな印刷装置を用意し、且つ、定期的な画質面でのメンテナンスを受ける必要がある。これでは常に大量印刷を行うわけではない一般店舗で実現するには見合わない費用が発生してしまう。このような場合はＰＯＤセンターに印刷依頼するか或いは集中的に印刷を行う部署で印刷することが想定される。
【０００３】
また、一般家庭において送付されてきた商品カタログを部屋の照明で参照すると、照明光の影響を受けて実物とは異なった色味で見えてしまい、実際に届いた商品とのギャップを生じていた。このような個人の不特定多数に対して色味を合わせたカタログを作成することは不可能に近い。
【０００４】
一方で、近年、カラーマネージメント技術が飛躍的に進歩し、高度なカラーマッチングが可能となっている。表示デバイスや印刷デバイスの状況、及び、観察する環境の光の影響を考慮したカラーマッチングが可能となった。このようなカラーマネージメント技術がＯＳに搭載され一般のＰＣでも利用可能となり、ますます容易に高度なカラーマネージメントを行うことが可能となってきている。
【０００５】
こうした状況において、ユーザがあるデバイスと環境光の条件下で作成したデータをデバイス情報及び環境光情報と共に送信し、受信側はデータを出力（表示或いは印刷）する際に、受信側の持つデバイス情報及び環境光情報と合わせてカラーマッチングすることによって、データ送信元と同じ色味で出力できる先行技術（例えば、特許文献１参照。）が提案されている。これにより、色が重要視されるデザイン事務所等におけるデータの共有が可能となる。
【特許文献１】特許第０３８５４６７８号公報
【発明の開示】
【発明が解決しようとする課題】
【０００６】
しかしながら、これは受信側の出力デバイスのある環境光に合わせたカラーマッチングであり、送信側が出力の環境情報を指定できるというものではない。このため、もし送信側の出力物の観察環境に合わせたマッチングを行う場合は受信側が送信側の環境情報を理解し設定する必要があり、ユーザに負担がかかる。また、１つのデータに対して複数の環境条件を指定することはできないため、受信側は必要な環境数だけ設定を切り替えて出力する必要があり、これもユーザに大きな負担をかけることになる。加えて、ユーザが出力物の観察を行う環境光情報を指定できる環境にあったとしても、環境光情報を測定するための機器がない場合、環境光情報を指定することは非常に困難である。更には、１つのデータに複数の環境条件を指定して連続して印刷する場合、どの出力物がどの設定値のものか分からなくなってしまうという問題もある。
【課題を解決するための手段】
【０００７】
上述の課題を解決するために、本発明では、出力デバイスによる出力パッチの測色値から生成されたデバイス情報と、出力物を観察する環境の光の情報である環境光情報とを２つのデバイスで用意し組み合わせて２つのデバイス間のカラーマッチングを行う測色値ベースカラーマッチング手段を有し、データを作成したデバイスのデータ生成デバイス情報及びデータ生成環境光情報と、出力物を観察する出力物観察環境光情報とをデータに付加し送信する手段と、該情報付きデータを受信した場合は、受信側出力デバイスの環境光情報設定値と前記受信データに付加された前記出力物観察環境光情報とを置き換える手段によって調整された、前記受信側出力デバイスの出力デバイス情報と、前記送信側デバイス情報と、前記送信側環境光情報と、前記出力物観察環境光情報とを前記測色値ベースカラーマッチング手段を用いてデータをカラーマッチングして出力することを特徴とする。
【０００８】
また、前記環境光情報は測光センサーによる測光値であることを特徴とする。
【０００９】
また、前記環境光情報は照明情報であり、照明情報と測光値とを関連付けした照明光情報と関連付けする照明光測光変換手段とを有し、照明情報を受信した時は前記照明光測光変換手段を用いて照明情報から測光値に置き換えてカラーマッチングを行うことを特徴とする。
【００１０】
また、前記出力物観察環境光情報は複数指定可能であることを特徴とする。
【００１１】
また、前記複数指定された各出力物観察環境光情報に対し印刷部数が指定可能であることを特徴とする。
【００１２】
また、前記複数指定された各出力物観察環境光情報に対しキーワードを指定し、データの指定箇所に前記キーワードを挿入可能であることを特徴とする。
【発明の効果】
【００１３】
本発明によって、依頼元が意図した通りの観察環境に適した色味の出力物を容易に出力し提供することが可能となる。
【００１４】
また、環境光情報を測光センサーによる値とすることで、より正確なカラーマッチングを簡易な操作で可能となる。
【００１５】
また、測光センサー等の測色機器を用意できない環境においては、照明の型番等の情報のみから正確なカラーマッチングを行うことが可能となる。
【００１６】
また、１つのデータに対して複数の環境光情報を割り当てることによって、同じデータを複数回送信する必要がなくなるため、ネットワーク負荷を減らすばかりでなく、操作手版や操作ミスを減らすことが可能となる。
【００１７】
また、各環境光情報に対して印刷部数を指定可能とすることによって、同じ環境において複数印刷を行いたい場合の操作手順や操作ミスを軽減し、また、印刷時の環境光設定の切り替えを軽減することで印刷スピードを上げることも可能となる。
【００１８】
また、印刷物に対してキーワードを入れることによって、印刷物がどの環境光に対応したものなのかを容易に見分けることが可能となる。
【発明を実施するための最良の形態】
【００１９】
次に、本発明の詳細を実施例の記述に従って説明する。
【実施例１】
【００２０】
以下、本発明の実施の形態について図面を用いて詳細に説明する。
【００２１】
図１は、本発明の実施形態のシステムの全体構成である。このシステムは、カタログを作成するデザイン部、内外部からの情報を管理する情報管理部、カタログの印刷を行う印刷部とからなるディーラー本社と、ディーラーの各店舗、店舗１〜店舗５と、それぞれの店舗につく顧客、顧客１−１〜顧客１−５、顧客２−１〜顧客２−４、顧客３−１〜顧客３−６、顧客４−１〜顧客４−５、顧客５−１〜顧客５−４と、ディーラー本社に設置のウェブサーバにインターネット経由でアクセスするインターネット客１〜インターネット客５からなる。
【００２２】
図２は、システム全体構成図、図１の一部を示す１０１を詳細化したものである。ディーラー本社のデザイン部では照明として蛍光灯を設置し、デザイン用のＰＣが設置され、ＰＣには照明光の情報を収集するためのセンサーが付いている。また、情報管理部には情報を管理するためのＰＣが設置されている。また、印刷部においては、印刷データのやり取りと印刷制御を行うＰＣと、印刷装置が設置されている。また、ディーラー本社には、インターネットからアクセス可能なウェブサーバ兼情報管理サーバが設置されている。そして、各ＰＣはディーラー本社内部でイントラネットで接続されている。
【００２３】
また、ディーラーの店舗１では照明として白熱球を設置し、顧客情報を扱ったり、カタログ印刷の発注を行うためのＰＣが設置され、ＰＣには照明光の情報を収集するためのセンサーが付いている。そして、このＰＣはディーラー本社の情報管理サーバとインターネットで接続されている。
【００２４】
また、ディーラーの店舗２では照明として蛍光灯を設置し、顧客情報を扱ったり、カタログ印刷の発注を行うためのＰＣが設置され、ＰＣには照明光の情報を収集するためのセンサーが付いている。そして、このＰＣはディーラー本社の情報管理サーバとインターネットで接続されている。
【００２５】
図３−１〜図３−３は、各店舗のＰＣにインストールされているカタログ印刷発注ソフトウェアの画面を表している。ソフトウェアを起動すると図３−１が現れ、現在設定されている環境のリストが表示される。各リストの左側にはチェックボックスが設けられ、「発注」ボタンを押下した際にはチェックボックスにチェックが入っている環境のカタログを発注することが出来る。また、環境名称の列には各環境の設定に付けられた名称が表示され、部数の列には各環境の設定に対して発注したい部数を指定することができる。環境名称「一般配布用」は初期時から設定があり、太陽光下でカタログを見る際の設定値があらかじめ設定されている。また、２行目からは各店舗にて環境を設定することが出来る。一番右側の「環境光設定」ボタンを押下すると図３−２環境光設定の画面が開き、環境光設定方法と、その選択によって各環境光設定方法に対する環境光パラメータが設定可能になる。環境光設定方法で「型番」を選択すると、電球メーカーと、電球に刻印されている型番と、店舗の明るさを示す照度の設定が可能となる。また、環境光設定方法で「色温度」を選択すると、電球の照明光特性と、照明光の色を示す色温度、店舗の明るさを示す照度の設定が可能となる。また、本ソフトウェアがインストールされているＰＣにセンサーが接続されている場合は、環境光設定方法で「センサー」が選択可能となり、これを選択すると「センサー読み込み」ボタンが押下可能となる。「センサー読み込み」ボタンを押下すると、センサーが照明光の情報を収集し、読み込みが完了すると読み込みデータがＰＣに保存され、「センサー読込状況」は「済」に、「センサー読込日時」にはセンサーが照明光情報を収集した日時が表示される。また、情報を設定した場合は環境名称を入力可能となり、名称を入力した後に「ＯＫ」ボタンを押下するとメイン画面の図、図３−１に戻り、押下した「環境光設定」ボタンの行の環境名称の列に入力した環境名称が表示されて、チェックボックスがチェック可能となる。また、メイン画面の図、図３−１において「発行元設定」ボタンを押下すると発行元設定画面の図、図３−３が開き、発行元の住所、発注者、電話番号と、発注したいカタログ情報が入力可能となる。発行元の住所と、発注者と、電話番号と、カタログ情報としてディーラー本社より知らされているカタログＮｏとを入力した後「ＯＫ」ボタンを押下するとデータがＰＣに登録され、メイン画面の図、図３−１に戻る。発行元設定の設定が全て完了した場合のみ「発注」ボタンが押下可能となる。
【００２６】
図４は、カタログ印刷発注ソフトウェアの図、図３−１〜図３−３において各設定を行い「発注」ボタンを押下した際にソフトウェアから送信される発注データファイルである。発注データファイルの図、図４は、発注したいカタログの情報である発注カタログにカタログＩＤを持ち、発行元設定のカタログＮｏに指定したカタログＮｏを持つ。また、発注する環境情報の数だけ環境設定のリストを持ち、各環境設定には、環境光設定画面の図、図３−２で設定された情報が記述された環境光設定方法と、環境光パラメータとからなる出力物観察環境光情報と、環境光設定画面の図、図３−２の環境名称が記述された環境名称と、メイン画面の図、図３−１の部数の指定が記述された印刷部数からなる環境情報を含む。また、発行元設定画面の図、図３−３の住所、発注者、ＴＥＬの設定が記述された、住所、発行者、ＴＥＬからなる発行元情報を含む。
【００２７】
次に図２のシステムにおいて、カタログ印刷発注ソフトウェアの図、図３−１〜図３−３を用いて、発注データファイルの図、図４が発行されるまでの流れを、図５のフローチャートを用いて説明する。
【００２８】
ステップＳ５００において、システムの図、図２の店舗１のＰＣにインストールのカタログ発注ソフトウェアメイン画面の図、図３−１において「発注」ボタンが押下されたかを確認し、押下されていない場合はこれを繰り返す。
【００２９】
一方、ステップＳ５００において、「発注」ボタンが押下された場合は、ステップＳ５０１へ進む。
【００３０】
ステップＳ５０１において、カタログ印刷発注ソフトウェアが管理する現在有効なリスト数を獲得し、リストカウンタに登録し、ステップＳ５０２へ進む。
【００３１】
ステップＳ５０２において、リストカウンタをチェックしリストカウンタがゼロより大きい場合はＳ５０３〜Ｓ５２５を繰り返す。
【００３２】
ステップＳ５０３において、印刷発注設定画面の図、図３−１において現在のリストカウンタに相当するリストのチェックボックスにチェックが入っているか？を確認し、入っている場合はステップＳ５０４へ進む。
【００３３】
ステップＳ５０４において、環境設定用情報格納メモリを獲得しステップＳ５０５へ進む。
【００３４】
ステップＳ５０５において、印刷発注設定画面の図、図３−１の現在のリストにある環境名称を獲得し、ステップＳ５０６へ進む。
【００３５】
ステップＳ５０６において、環境名称は「一般配布用」であるかを確認し、「一般配布用」である場合はステップＳ５０７へ進む。
【００３６】
ステップＳ５０７において、メモリの出力物観察環境光情報の環境光設定方法に「型番」を指定し、ステップＳ５０８へ進む。
【００３７】
ステップＳ５０８において、メモリの出力物観察環境光情報の環境光パラメータの電球メーカーに「太陽光」を指定し、ステップＳ５０９へ進む。
【００３８】
ステップＳ５０９において、メモリの環境情報の環境名称に「一般配布用」を格納し、ステップＳ５２４へ進む。
【００３９】
一方、ステップＳ５０６において「一般配布用」ではない場合は、ステップＳ５１０へ進む。
【００４０】
ステップＳ５１０において、環境光設定画面の図、図３−２の環境光設定方法を確認し、ステップＳ５１１へ進む。
【００４１】
ステップＳ５１１において、環境光設定画面の図、図３−２の環境光設定方法が「型番」である場合はステップＳ５１２へ進む。
【００４２】
ステップＳ５１２において、メモリの出力物観察環境光情報の環境光情報に「型番」を格納し、ステップＳ５１３へ進む。
【００４３】
ステップＳ５１３において、環境光設定画面の図、図３−２の電球メーカーの設定値を獲得し、メモリの出力物観察環境光の環境光パラメータの電球メーカーに格納し、ステップＳ５１４へ進む。
【００４４】
ステップＳ５１４において、環境光設定画面の図、図３−２の型番の設定値を獲得し、メモリの出力物観察環境光の環境光パラメータの型番に格納し、ステップＳ５１５へ進む。
【００４５】
ステップＳ５１５において、環境光設定画面の図、図３−２の照度の設定値を獲得し、メモリの出力物観察環境光の環境光パラメータの照度に格納し、ステップＳ５２３へ進む。
【００４６】
一方、ステップＳ５１１において、環境光設定方法が「型番」でない場合は、ステップＳ５１６へ進む。
【００４７】
ステップＳ５１６において、環境光設定画面の図、図３−２の環境光設定方法が「色温度」である場合はステップＳ５１７へ進む。
【００４８】
ステップＳ５１７において、メモリの出力物観察環境光情報の環境光情報に「色温度」を格納し、ステップＳ５１８へ進む。
【００４９】
ステップＳ５１８において、環境光設定画面の図、図３−２の照明光特性の設定値を獲得し、メモリの出力物観察環境光の環境光パラメータの照明光特性に格納し、ステップＳ５１９へ進む。
【００５０】
ステップＳ５１９において、環境光設定画面の図、図３−２の色温度の設定値を獲得し、メモリの出力物観察環境光の環境光パラメータの色温度に格納し、ステップＳ５２０へ進む。
【００５１】
ステップＳ５２０において、環境光設定画面の図、図３−２の照度の設定値を獲得し、メモリの出力物観察環境光の環境光パラメータの照度に格納し、ステップＳ５２３へ進む。
【００５２】
一方、ステップＳ５１６において、環境光設定方法が「色温度」でない場合は、ステップＳ５２１へ進む。
【００５３】
ステップＳ５２１において、メモリの出力物観察環境光情報の環境光情報に「センサー」を格納し、ステップＳ５２２へ進む。
【００５４】
ステップＳ５２２において、環境光設定画面の図、図３−２においてセンサーで読み取ったセンサー読み取り値を獲得し、メモリの出力物観察環境光の環境光パラメータのセンサー読取値に格納し、ステップＳ５２３へ進む。
【００５５】
ステップＳ５２３において、環境光設定画面の図、図３−２の環境名称の設定値を獲得し、メモリの環境情報の環境名称に格納し、ステップＳ５２４へ進む。
【００５６】
ステップＳ５２４において、印刷発注設定画面の図、図３−１の現在のリストの部数を獲得し、メモリの環境情報の印刷部数に格納し、ステップＳ５２５へ進む。
【００５７】
一方、ステップ５０３において、リストのチェックボックスにチェックが入っていない場合は、ステップＳ５２５へ進む。
【００５８】
ステップＳ５２５において、リストカウンタをカウントダウンしこれを繰り返す。
【００５９】
一方、ステップＳ５０２において、リストカウンタがゼロになった場合はステップＳ５２７へ進む。
【００６０】
ステップＳ５２７において、発行元情報格納メモリを獲得し、ステップＳ５２８へ進む。
【００６１】
ステップＳ５２８において、発行元設定画面の図、図３−３の住所の設定値を獲得し、メモリの発行元情報格納メモリの発行元情報の住所に格納し、ステップＳ５２９へ進む。
【００６２】
ステップＳ５２９において、発行元設定画面の図、図３−３の発行者の設定値を獲得し、メモリの発行元情報格納メモリの発行元情報の発行者に格納し、ステップＳ５３０へ進む。
【００６３】
ステップＳ５３０において、発行元設定画面の図、図３−３のＴＥＬの設定値を獲得し、メモリの発行元情報格納メモリの発行元情報のＴＥＬに格納し、ステップＳ５３１へ進む。
【００６４】
ステップＳ５３１において、カタログ情報メモリを獲得し、ステップＳ５３２へ進む。
【００６５】
ステップＳ５３２において、発行元設定画面の図、図３−３のカタログＮｏの設定値を獲得し、カタログ情報メモリのカタログＩＤに格納し、ステップＳ５３３へ進む。
【００６６】
ステップＳ５３３において、メモリに格納したデータを発注データファイルの図、図４に書き出して、インターネット経由で図１の情報サーバに送信し、ステップＳ５３４へ進む。
【００６７】
ステップＳ５３４において、獲得した全てのメモリを開放し、終了する。
【００６８】
図１０は図２のシステムの情報管理用サーバがデータを受信した際に構築する印刷設定データ構造を示している。図２のディーラー本社のデザイン部は、設置された蛍光灯下のＰＣにおいてカタログを作成し、モニタにパッチを表示して測色したモニタ測色値をデータ生成デバイス情報のモニタ測色値とする。また、ＰＣに接続されているセンサーによって照明光の情報を収集したセンサー読み取り値をデータ生成環境光情報の環境光パラメータとする。更に、データ生成環境光情報の環境光設定方法を「センサー」とする。これらを関連付け、情報管理サーバにデータを格納する。このデータに対して、図２のシステムの情報管理用サーバが受信した発注データファイルを各発注データファイル図４の発注カタログのカタログＩＤに格納のＩＤによって関連付けて印刷設定として登録していく。こうして複数発注データファイルを受信した時に生成されるのが図１０に示す印刷設定データになる。
【００６９】
次に図２のシステムの情報管理部が情報管理サーバにアクセスし、サーバ内に格納されている印刷設定データの図、図１０を印刷部に送信する。印刷設定データの図、図１０を受け取った印刷部のＰＣはその内部で、或いは、そのまま印刷機に送信し印刷機において、上記印刷設定データに含まれるデバイス情報及び環境光情報に基づいてカラーマッチングを行い出力する。この時の、印刷設定データの図、図１０を印刷部のＰＣが受信してカラーマッチングし印刷するまでの手順を、システムの図、図２、印刷設定データの図、図１０、及び、図１１〜図１３のフローチャートを用いて説明する。
【００７０】
ステップＳ１１０１において、システムの図、図２の印刷部のＰＣが印刷設定データの図、図１０を受信したかを確認し、受信していない場合はこれを繰り返す。
【００７１】
一方、ステップＳ１１０１において、印刷設定データの図、図１０を受信した場合はステップＳ１１０２へ進む。
【００７２】
ステップＳ１１０２において、印刷設定データの図、図１０のヘッダ情報を獲得し、ステップＳ１１０３へ進む。
【００７３】
ステップＳ１１０３において、印刷設定格納用メモリ領域を獲得し、ステップＳ１１０４へ進む。
【００７４】
ステップＳ１１０４において、獲得したデータのヘッダの印刷設定及びデータ生成デバイス情報とデータ生成環境光情報より、マッチング情報、印刷部数、印刷情報、印刷条件設定数を獲得し印刷設定に記憶し、ステップＳ１１０５へ進む。
【００７５】
ステップＳ１１０５において、印刷設定より印刷条件数を獲得し、印刷条件カウンタにセットし、ステップＳ１１０６へ進む。
【００７６】
ステップＳ１１０６において、印刷条件カウンタはゼロであるかを確認し、ゼロではない場合はステップＳ１１０７へ進む。
【００７７】
ステップＳ１１０７において、印刷条件カウンタがゼロより大きい場合は、ステップＳ１１０８〜ステップＳ１１１７までを繰り返す。
【００７８】
ステップＳ１１０８において、現在のカウンタの印刷設定より部数情報を獲得し、印刷部数カウンタにセットし、ステップＳ１１０９へ進む。
【００７９】
ステップＳ１１０９において、カラーマッチング情報を設定し、ステップＳ１１１０へ進む。
【００８０】
ステップＳ１１１０において、現在の印刷条件カウンタの上枠情報を図１０のデータのカタログ裏表紙上枠にはめ込み、ステップＳ１１１１へ進む。
【００８１】
ステップＳ１１１１において、現在の印刷条件カウンタの下枠情報を図１０のデータのカタログ裏表紙下枠にはめ込み、ステップＳ１１１２へ進む。
【００８２】
ステップＳ１１１２において、カラーマッチング設定に従って図１０のカタログの中身のカラーマッチングを行い、ステップＳ１１１３へ進む。
【００８３】
ステップＳ１１１３において、印刷部数カウンタがゼロより大きい場合は、ステップＳ１１１４〜ステップＳ１１１５を繰り返す。
【００８４】
ステップＳ１１１４において、図１０のカタログ表紙及びカタログの中身のカラーマッチングが済んだデータを印刷し、ステップＳ１１１５へ進む。
【００８５】
ステップＳ１１１５において、印刷部数カウンタをカウントダウンしステップＳ１１１６へ進む。
【００８６】
ステップＳ１１１６において、ステップＳ１１１３に戻り、これを繰り返す。
【００８７】
一方、ステップＳ１１１３において、印刷部数カウンタがゼロ以下の場合は、ステップＳ１１１７へ進む。
【００８８】
ステップＳ１１１７において、印刷条件カウンタをカウントダウンし、ステップＳ１１１８へ進む。
【００８９】
ステップＳ１１１８において、ステップＳ１１０７に戻り、これを繰り返す。
【００９０】
一方、ステップＳ１１０７において、印刷条件カウンタがゼロ以下の場合は、終了する。
【００９１】
一方、ステップＳ１１０６において、印刷条件カウンタがゼロの場合はステップＳ１１１９へ進む。
【００９２】
ステップＳ１１１９において、システム図２の印刷部のＰＣのプリンタドライバ、或いは、印刷アプリのユーザインターフェースより印刷部数を獲得し、印刷部数カウンタにセットし、ステップＳ１１２０へ進む。
【００９３】
ステップＳ１１２０において、システム図２の印刷部のＰＣのプリンタドライバ、或いは、印刷アプリのユーザインターフェースより入力デバイス情報を獲得し、ステップＳ１１２１へ進む。
【００９４】
ステップＳ１１２１において、ＧＵＹより入力デバイス情報を獲得し、ステップＳ１１２２へ進む。
【００９５】
ステップＳ１１２２において、システムの図、図２の印刷部のＰＣのプリンタドライバ、或いは、印刷アプリのユーザインターフェースより環境光情報を獲得し、ステップＳ１１２３へ進む。
【００９６】
ステップＳ１１２３において、システムの図、図２の印刷部の印刷装置に登録されている印刷装置のデバイス情報を獲得し、ステップＳ１１２４へ進む。
【００９７】
ステップＳ１１２４において、入出力デバイス情報及び環境光情報を用いて印刷データに対してカラーマッチングを行い、ステップＳ１１２５へ進む。
【００９８】
ステップＳ１１２５において、印刷部数カウンタがゼロより大きい場合はステップＳ１１２４〜ステップＳ１１２７を繰り返す。
【００９９】
ステップＳ１１２６において、図１０のカタログ表紙及びカタログの中身のカラーマッチングが済んだデータをシステムの図、図２の印刷部印刷装置にて印刷し、ステップＳ１１２７へ進む。
【０１００】
ステップＳ１１２７において、印刷部数カウンタをカウントダウンし、ステップＳ１１２８へ進む。
【０１０１】
ステップＳ１１２８において、ステップＳ１１２４に戻り、これを繰り返す。
【０１０２】
一方、ステップＳ１１２４において、印刷部数カウンタがゼロ以下の場合は終了する。
【０１０３】
次にフローチャート図１１のステップＳ１１０４の詳細について図１２のフローチャートを用いて説明する。
【０１０４】
ステップＳ１２０１において、印刷設定データの図、図１０のヘッダより印刷条件を獲得し、ステップＳ１２０２へ進む。
【０１０５】
ステップＳ１２０２において、図１０のデータ生成デバイス情報及びデータ生成環境光情報及び印刷設定である印刷条件は含まれているかを確認し、印刷条件が含まれている場合は、ステップＳ１２０４へ進む。
【０１０６】
ステップＳ１２０４において、印刷条件カウンタ値をゼロに設定し、ステップＳ１２０５へ進む。
【０１０７】
ステップＳ１２０５において、印刷条件設定単位での読み出しが終了したかを確認し、終了していない場合は、ステップＳ１２０７へ進む。
【０１０８】
ステップＳ１２０７において、印刷条件設定単位の読み出しを行い、ステップＳ１２０８へ進む。
【０１０９】
ステップＳ１２０８において、印刷条件は設定されているかを確認し、設定されている場合は、ステップＳ１２１０へ進む。
【０１１０】
ステップＳ１２１０において、現在の印刷条件カウンタの印刷条件設定に「ＴＲＵＥ」を設定し、ステップＳ１２１１へ進む。
【０１１１】
ステップＳ１２１１において、印刷条件にデータ生成デバイス情報は含まれているかを確認し、含まれている場合はステップＳ１２１２へ進む。
【０１１２】
ステップＳ１２１２において、現在の印刷条件カウンタのデータ生成デバイス情報に、印刷設定データの図、図１０の生成デバイス情報を記憶し、ステップＳ１２１３へ進む。
【０１１３】
一方、ステップＳ１２１１において、印刷条件にデータ生成デバイス情報が含まれていない場合はステップＳ１２１３へ進む。
【０１１４】
ステップＳ１２１３において、印刷条件にデータ生成環境光情報は含まれているかを確認し、含まれている場合はステップＳ１２１４へ進む。
【０１１５】
ステップＳ１２１４において、現在の印刷条件カウンタのデータ生成環境光情報に、印刷設定データの図、図１０のデータ生成環境光情報を記憶し、ステップＳ１２１５へ進む。
【０１１６】
一方、ステップＳ１２１３において、印刷条件にデータ生成環境光情報が含まれていない場合は、ステップＳ１２１５へ進む。ステップＳ１２１５において、印刷条件に出力物観察環境光情報は含まれているかを確認し、含まれている場合はステップＳ１２１６へ進む。
【０１１７】
ステップＳ１２１６において、現在の印刷条件カウンタの出力物観察環境光情報に、印刷設定データの図、図１０の出力物観察環境光情報を記憶し、ステップＳ１２１７へ進む。
【０１１８】
一方、ステップＳ１２０８において、印刷条件が設定されていない場合は、ステップＳ１２０９へ進む。
【０１１９】
ステップＳ１２０９において、現在の意ｓ夏条件カウンタの印刷条件設定に「ＦＡＬＳＥ」を設定し、ステップＳ１２１７へ進む。
【０１２０】
ステップＳ１２１７において、現在の印刷条件カウンタの部数情報に、印刷設定データの図、図１０の印刷設定の印刷部数の設定値を記憶し、ステップＳ１２１８へ進む。
【０１２１】
ステップＳ１２１８において、現在の印刷条件カウンタの上枠情報に、印刷設定データの図、図１０の印刷設定の環境名称の設定値を記憶し、ステップＳ１２１９へ進む。
【０１２２】
ステップＳ１２１９において、現在の印刷条件カウンタの下枠情報に、印刷設定データの図、図１０の発行元情報を記憶し、ステップＳ１２２０へ進む。
【０１２３】
ステップＳ１２２０において印刷条件カウンタのカウントアップを行い、ステップＳ１２０５へ進みこれを繰り返す。
【０１２４】
一方で、ステップＳ１２０５において、印刷条件設定単位での読み出しが終了している場合は、ステップＳ１２０６へ進む。
【０１２５】
ステップＳ１２０６において、印刷条件数に印刷条件カウンタ値を設定し、終了する。
【０１２６】
一方、ステップＳ１２０２において、印刷条件が含まれていない場合は、ステップＳ１２０３へ進む。
【０１２７】
ステップＳ１２０３において、印刷条件数にゼロを設定して終了する。
【０１２８】
次にフローチャート図１１のステップＳ１１０９の詳細について図１３のフローチャートを用いて説明する。
【０１２９】
ステップＳ１３０１において、システムの図、図２の印刷部のＰＣのプリンタドライバ、或いは、印刷アプリのユーザインターフェースより入力デバイス情報を獲得し、入力デバイス情報設定として記憶し、ステップＳ１３０２へ進む。
【０１３０】
ステップＳ１３０２において、システムの図、図２の印刷部のＰＣのプリンタドライバ、或いは、印刷アプリのユーザインターフェースより環境光情報を獲得し、入力環境光情報設定として記憶し、ステップＳ１３０３へ進む。
【０１３１】
ステップＳ１３０３において、システムの図、図２の印刷部のＰＣのプリンタドライバ、或いは、印刷アプリのユーザインターフェースより出力環境光情報を獲得し、出力環境光情報設定として記憶し、ステップＳ１３０４へ進む。
【０１３２】
ステップＳ１３０４において、システムの図、図２の印刷部の印刷装置に登録されている印刷装置のデバイス情報を獲得し、出力デバイス情報設定として記憶し、ステップＳ１３０５へ進む。
【０１３３】
ステップＳ１３０５において、印刷条件設定が「ＴＲＵＥ」であるかを確認し、「ＴＲＵＥ」の場合はステップＳ１３０６へ進む。
【０１３４】
ステップＳ１３０６において、印刷設定にデータ生成デバイス情報は記憶されているかを確認し、記憶されている場合はステップＳ１３０７へ進む。
【０１３５】
ステップＳ１３０７において、印刷設定の入力デバイス情報設定をデータ生成デバイス情報に置換して記憶し、ステップＳ１３０８へ進む。
【０１３６】
一方、ステップＳ１３０６において、印刷条件設定値が「ＴＲＵＥ」でない場合はステップＳ１３０８へ進む。
【０１３７】
ステップＳ１３０８において、印刷設定にデータ生成環境光情報は記憶されているかを確認し、記憶されている場合は、ステップＳ１３０９へ進む。
【０１３８】
ステップＳ１３０９において印刷設定の入力環境光情報設定をデータ生成環境光情報に置換して記憶し、ステップＳ１３１０へ進む。
【０１３９】
一方、ステップＳ１３０８において、印刷設定にデータ生成環境光情報が記憶されていない場合は、ステップＳ１３１０へ進む。
【０１４０】
ステップＳ１３１０において、印刷設定に出力物観察環境光情報が記憶されているかを確認し、記憶されている場合は、ステップＳ１３１１へ進む。
【０１４１】
ステップＳ１３１１において、印刷設定の出力環境光設定出力物観察環境光情報に置換して記憶し、終了する。
【０１４２】
一方、ステップＳ１３１０において、印刷設定に出力物観察環境光情報が記憶されていない場合は、終了する。
【０１４３】
一方、ステップＳ１３０５において、印刷条件設定が「ＴＲＵＥ」でない場合は、終了する。
【０１４４】
印刷物はシステム図２の各店舗のカタログ図のようにカタログ発注元でもあるカタログ発行元に配送され、店舗の光源に合わされたカタログは店舗用として、太陽光に合わされたカタログは一般配布用として扱う。
【実施例２】
【０１４５】
図６は、システム全体構成図図１の一部を示す１０２を詳細化したものである。ディーラー本社のデザイン部では照明として蛍光灯を設置し、デザイン用のＰＣが設置され、ＰＣには照明光の情報を収集するためのセンサーが付いている。また、情報管理部には情報を管理するためのＰＣが設置されている。また、印刷部においては、印刷データのやり取りと印刷制御を行うＰＣと、印刷装置が設置されている。また、ディーラー本社には、インターネットからアクセス可能なウェブサーバ兼情報管理サーバが設置されている。そして、各ＰＣはディーラー本社内部でイントラネットで接続されている。
【０１４６】
また、客宅１では照明として白熱球を設置し、インターネットに接続されたＰＣが設置されている。
【０１４７】
また、客宅２では照明として蛍光灯を設置し、インターネットに接続されたＰＣが設置されている。
【０１４８】
図７−１〜図７−３は、システム図６のディーラー本社のウェブサーバーで管理されているカタログ請求のホームページの画面を表している。ホームページを開くとログイン画面図７−１が現れ、各ユーザが持つユーザＩＤ及びパスワードでログインすることができる。ログイン画面図７−１にてユーザＩＤ及びパスワードを入力して、正しいパラメータが入力されたことが確認できた場合、ユーザＩＤに適合するユーザ情報をサーバより取り出しカタログ請求設定画面７−２が表示される。カタログ請求設定画面においてユーザは請求したいカタログをリストボックスより選択することが可能である。また、現在設定されている環境のリストが表示され、各リストの左側にはチェックボックスが設けられ、「請求」ボタンを押下した際にはチェックボックスにチェックが入っている環境のカタログを発注することが出来る。また、チェックボックスの横には各環境の設定に付けられた名称が表示される。「環境光設定」ボタンを押下すると環境光設定画面図７−３が開き、環境光設定方法を選択するラジオボタンと、その選択によって各環境光設定方法に対する環境光パラメータが設定可能になる。ラジオボタンで上の方を選択すると、電球メーカーと、電球に刻印されている型番と、カタログを見る部屋の明るさを示す照度の設定が可能となる。また、ラジオボタンで下の方を選択すると、電球の照明光特性と、照明光の色を示す色温度、カタログを見る部屋の明るさを示す照度の設定が可能となる。また、情報を設定した場合は環境名が入力可能となり、名称を入力した後に「設定」ボタンを押下するとメイン画面図７−２に戻る。この時、押下した「環境光設定」ボタンの行のチェックボックスの隣に入力した環境名が表示されて、チェックボックスがチェック可能となる。また、メイン画面図７−２においては、お客様情報として請求資料のお届け先を登録することが可能であり、住所、氏名、電話番号が入力可能である。お客様情報が入力された場合のみ「請求」ボタンが有効になり、チェックボックスにチェックが入っていない場合は太陽光情報でのマッチングによるカタログ申請となる。
【０１４９】
図８は、カタログ請求ホームページ図７−１〜図７−３において各設定を行い「請求」ボタンを押下した際にウェブサーバに対して送信される発注情報である。発注情報図８は、発注カタログのカタログＩＤを持ち、ここにはカタログ請求設定画面にて選択された請求カタログの選択値からカタログＮｏに変換された値が入る。また、発注する環境情報の数だけ環境設定のリストを持ち、環境光設定方法と、環境光パラメータとからなる出力物観察環境光情報と、環境名と、印刷部数とからなる環境情報を含む。ここで、環境光設定方法には環境光設定画面図７−３で設定されたラジオボタンが上の場合は「型番」下の場合は「色温度」が入る。また、環境名には環境光設定画面図７−３の環境名の設定値が入り、印刷部数には一般ユーザ環境では「１」が入る。また、発行元情報にはサーバに登録されているディーラー本社の住所、発注者、ＴＥＬの設定が入る。
【０１５０】
次に図２のシステムにおいて、カタログ申請画面図７−１〜図７−３を用いて、発注情報図８が発行されるまでの流れを、図９のフローチャートを用いて説明する。
【０１５１】
ステップＳ９０１において、カタログ申請ホームページメイン画面図７−２の「申請」ボタンが押下されたかを確認し、押下されない場合はこれを繰り返す。
【０１５２】
一方で、ステップＳ９０１において、「申請」ボタンが押下された場合はステップＳ９０２へ進む。
【０１５３】
ステップＳ９０２において、カタログ申請ホームページメイン画面図７−２に情報が入力されているリスト数をカウントし、リストカウンタに登録し、ステップＳ９０３へ進む。
【０１５４】
ステップＳ９０３において、リストカウンタがゼロより大きい場合はステップＳ９０４〜ステップＳ９１７を繰り返す。
【０１５５】
ステップＳ９０４において、現在のリストカウンタのチェックボックスにチェックは入っているかを確認し、入っている場合は、ステップＳ９０５へ進む。
【０１５６】
ステップＳ９０５において、カタログ申請ホームページ環境光設定画面図７−３のラジオボタンの位置を確認し、ステップＳ９０６へ進む。
【０１５７】
ステップＳ９０６において、ラジオボタンの上の方が選択されている場合は、ステップＳ９０７へ進む。
【０１５８】
ステップＳ９０７において、出力物観察環境光情報の環境光設定方法に「型番」を格納し、ステップＳ９０８へ進む。
【０１５９】
ステップＳ９０８において、カタログ申請ホームページ環境光設定画面図７−３の電球メーカーの設定値を出力物観察環境光情報の環境光パラメータのメーカーに格納し、ステップＳ９０９へ進む。
【０１６０】
ステップＳ９０９において、カタログ申請ホームページ環境光設定画面図７−３の型番の設定値を出力物観察環境光情報の環境光パラメータの型番に格納し、ステップＳ９１０へ進む。
【０１６１】
ステップＳ９１０において、カタログ申請ホームページ環境光設定画面図７−３の照度の設定値を出力物観察環境光情報の環境光パラメータの照度に格納し、ステップＳ９１５へ進む。
【０１６２】
一方、ステップＳ９０６において、ラジオボタンの下の方が選択されている場合は、ステップＳ９１１へ進む。
【０１６３】
ステップＳ９１１において、出力物観察環境光情報の環境光設定方法に「色温度」を格納し、ステップＳ９１２へ進む。
【０１６４】
ステップＳ９１２において、カタログ申請ホームページ環境光設定画面図７−３の照明光特性の設定値を出力物観察環境光情報の環境光パラメータの照明光特性に格納し、ステップＳ９１３へ進む。
【０１６５】
ステップＳ９１３において、カタログ申請ホームページ環境光設定画面図７−３の色温度の設定値を出力物観察環境光情報の環境光パラメータの色温度に格納し、ステップＳ９１４へ進む。
【０１６６】
ステップＳ９１４において、カタログ申請ホームページ環境光設定画面図７−３の照度の設定値を出力物観察環境光情報の環境光パラメータの照度に格納し、ステップＳ９１５へ進む。
【０１６７】
ステップＳ９１５において、カタログ申請ホームページ環境光設定画面図７−３の環境名を環境情報の環境名称に格納し、ステップＳ９１６へ進む。
【０１６８】
ステップＳ９１６において、環境情報の印刷部数に「１」を格納し、ステップＳ９１７へ進む。
【０１６９】
一方、ステップＳ９０４において、現在のリストカウンタのチェックボックスにチェックが入っていない場合は、ステップＳ９１７へ進む。
【０１７０】
ステップＳ９１７において、リストカウンタをカウントダウンし、ステップＳ９１８へ進む。
【０１７１】
ステップＳ９１８において、ステップＳ９０３に戻り、これを繰り返す。
【０１７２】
一方、ステップＳ９０３において、リストカウンタがゼロ以下の場合はステップＳ９１９へ進む。
【０１７３】
ステップＳ９１９において、システム図６のディーラー本社のウェブサーバに格納されている発行元住所を、発行元情報の住所に格納し、ステップＳ９２０へ進む。
【０１７４】
ステップＳ９２０において、システム図６のディーラー本社のウェブサーバに格納されている発行者を、発行元情報の発行者に格納し、ステップＳ９２１へ進む。
【０１７５】
ステップＳ９２１において、システム図６のディーラー本社のウェブサーバに格納されている発行元電話番号を、発行元情報のＴＥＬに格納し、ステップＳ９２２へ進む。
【０１７６】
ステップＳ９２２において、カタログ申請ホームページメイン画面図７−２の請求カタログの設定値からカタログＩＤに変換した後発注カタログのカタログＩＤに格納し、ステップＳ９２３へ進む。
【０１７７】
ステップＳ９２３において、格納した設定値を発注リストファイルに追加してセーブし、終了する。
【０１７８】
サーバにセーブされたリストは図１０となり、その後の処理については実施例１と同様である。
【図面の簡単な説明】
【０１７９】
【図１】本発明のシステム全体構成を示す図である。
【図２】本発明のシステム全体構成図の一部の詳細を示す図である。
【図３】３−１は本発明の一実施形態に係る店舗用カタログ発注ソフトウェアのメイン画面を示す図である。３−２は本発明の一実施形態に係る店舗用カタログ発注ソフトウェアの環境光設定画面を示す図である。３−３は本発明の一実施形態に係る店舗用カタログ発注ソフトウェアの発行元設定画面を示す図である。
【図４】本発明の一実施形態に係る発注データファイルを示す図である。
【図５】本発明の一実施形態に係る店舗用カタログ発注ソフトウェアから発行されるデータファイルを生成するまでの手順を説明するフローチャートである。
【図６】本発明の一実施形態に係るシステム全体構成図の一部の詳細を示す図である。
【図７】７−１は本発明の一実施形態に係るインターネットからカタログ請求を行うログイン画面を示す図である。７−２は本発明の一実施形態に係るインターネットからカタログ請求を行うメイン画面を示す図である。７−３は本発明の一実施形態に係るインターネットからカタログ請求を行う環境光設定画面を示す図である。
【図８】本発明の一実施形態に係る発注データファイルを示す図である。
【図９】本発明の一実施形態に係るインターネットカタログ請求ページからカタログ請求するまでの手順を説明するフローチャートである。
【図１０】本発明の一実施形態に係る印刷設定データの構造を示す図である。
【図１１】本発明の一実施形態に係るプリントサーバ或いは印刷装置が印刷データを受け取ってから印刷するまでの手順を説明するフローチャートである。
【図１２】本発明の一実施形態に係る印刷設定データの解析及びプリントサーバ或いは印刷装置の設定を行うまでの手順を説明するフローチャートである。
【図１３】本発明の一実施形態に係るプリントサーバ或いは印刷装置のカラーマッチングに関する設定を行うまでの手順を説明するフローチャートである。
【図１】
2010050553.tif 000003
【図２】
2010050553.tif 000004
【図３】
2010050553.tif 000005
【図４】
2010050553.tif 000006
【図５】
2010050553.tif 000007
【図６】
2010050553.tif 000008
【図７】
2010050553.tif 000009
【図８】
2010050553.tif 000010
【図９】
2010050553.tif 000011
【図１０】
2010050553.tif 000012
【図１１】
2010050553.tif 000013
【図１２】
2010050553.tif 000014
【図１３】
2010050553.tif 000015